(57)【要約】      （修正有）【課題】テンプルのバネ性を強弱調整できる眼鏡を提供する。【解決手段】弾性を有するテンプル２のバネ性の強弱調整が可能な眼鏡１において、テンプル２の一部にスライド自在に装着され、当該装着部分におけるテンプル２の撓みを抑制する少なくとも一つのスライダー２３を備える構成とする。また、テンプル２は、曲率半径の異なる第一曲率部２１と第二曲率部２２とを有し、第一曲率部２１及び第二曲率部２２との間でスライドしてテンプル２の開度を変化させるスライダー２３を備える構成としてもよい。【選択図】図３
0003197473.tif 000002
【実用新案登録請求の範囲】
【請求項１】
弾性を有するテンプルのバネ性の強弱調整が可能な眼鏡において、
前記テンプルの一部にスライド自在に装着され、当該装着部分における前記テンプルの撓みを抑制する少なくとも一つのスライダーを備えること、
を特徴とする記載の眼鏡。
【請求項２】
前記スライダーは前記テンプルの長手方向に沿って延び、前記テンプルを表裏両面から挟持する板状体から形成されていることを特徴とする請求項１に記載の眼鏡。
【請求項３】
前記テンプルの曲率半径と前記スライダーの曲率半径とを異ならせたことを特徴とする請求項１又は２に記載の眼鏡。
【請求項４】
前記テンプルが曲率半径の異なる第一曲率部と第二曲率部とからなる湾曲部を有し、前記スライダーは前記第一曲率部と前記第二曲率部との間でスライドすること、
を特徴とする請求項１又は２に記載の眼鏡。
【請求項５】
前記スライダーの曲率半径を前記第一曲率部又は前記第二曲率部の曲率半径と同じとしたことを特徴とする請求項４に記載の眼鏡。
【請求項６】
前方に曲率半径の大きい前記第一曲率部を配置し、後方に曲率半径の小さい前記第二曲率部を配置したことを特徴とする請求項４又は５に記載の眼鏡。
【請求項７】
前記第一曲率部、前記第二曲率部及び前記スライダーの長さを同じとしたことを特徴とする請求項４〜６のいずれかに記載の眼鏡。
【考案の詳細な説明】
【技術分野】
【０００１】
本考案は、テンプルのバネ性を強弱調整できる眼鏡に関する。
【背景技術】
【０００２】
眼鏡装着者への眼鏡の装着性を高めるために、テンプルを弾性の高い材料から形成したり智にバネヒンジを採用したりしてテンプルにバネ性を付与し、眼鏡装着者に不快感を与えない程度の適度な押圧力で眼鏡装着者の側頭部を押圧する眼鏡が知られている（例えば特許文献１、２参照）。
【０００３】
ところで、通常は眼鏡装着者に不快感を与えない程度の適切な押圧力で側頭部をテンプルで押圧していても、例えばランニング等の運動をするときに身体の動きによって容易に眼鏡がずれてしまわないように、テンプルの押圧力を高めたいという要求がある。
テンプルのバネ性を調整できるようにしたものとしては、例えば特許文献３に記載の眼鏡が知られている。この眼鏡は、眼鏡本体に設けた軸部と、軸部に軸支されたテンプル（つる）との間に空所を設け、テンプルの基端部が眼鏡本体の一部分に接したときを最大として、テンプルに沿って移動可能に設けたスペーサーを空所へ差し入れる度合いによってテンプルの開角度の調整を可能にし、これによって側頭部への押圧力を強弱調整できるようにしている。
また、特許文献４に記載の眼鏡は、テンプルのレンズ寄りに弾性部材を設け、テンプルの伸張方向に調整板を往復摺動可能に設け、調整板が弾性部材に添い合う長さによって、テンプルのバネ性を強弱調整できるようにしている。
【先行技術文献】
【特許文献】
【０００４】
【特許文献１】特開２００１−１３４６９号公報
【特許文献２】特開２００２−８２３１９号公報
【特許文献３】特開２００２−１３９７１１号公報
【特許文献４】実開平６−５４０２８号公報
【考案の開示】
【考案が解決しようとする課題】
【０００５】
しかし、特許文献３，４に記載の眼鏡においてもテンプルの前端でテンプルの押圧力を調整するようにしているため、押圧力の調整幅が小さいという問題がある。
また、特許文献３に記載の眼鏡は取付角度が段階的にしか調整できないため、最適な押圧力に調整することは困難であるという問題がある。
さらに、特許文献４に記載の眼鏡は、テンプルに別体の弾性部材を設けなければならず、構成が複雑になるという問題がある。
【０００６】
本考案は上記した問題を解決するためになされたもので、テンプルにおけるバネ性の強弱調整範囲が広く、バネ性を無段階で調整することが可能で、運動の種類や強度などに応じて最適なバネ性に調整することができる簡素な構成の眼鏡の提供を目的とする。
【課題を解決するための手段】
【０００７】
本考案におけるバネ性を調整するための第一の手段は、請求項１に記載するように、弾性を有するテンプルのバネ性の強弱調整が可能な眼鏡において、前記テンプルの一部にスライド自在に装着され、当該装着部分における前記テンプルの撓みを抑制する少なくとも一つのスライダーを備える構成としてある。
前記スライダーは前記テンプルの撓みを抑制できるものであればよく、請求項２に記載するように、前記スライダーは前記テンプルの長手方向に沿って延び、前記テンプルを表裏両面から挟持する板状体から形成されていてもよい。
【０００８】
この構成によれば、スライダーを前方（フロントフレーム側）又は後方（モダン側）に移動させることで、テンプルの弾性部分における撓みの支点が移動する。例えば、スライダーを後方に移動させると、テンプルの弾性部分における撓みの支点が前方に移動するため、テンプルが開きやすくなる（すなわち、バネ性が弱くなる）。反対にスライダーを前方に移動させると、テンプルの弾性部分における撓みの支点が後方に移動するため、テンプルが開きにくくなる（すなわち、バネ性が強くなる）
【０００９】
本考案におけるバネ性を調整するための第二の手段は、請求項３に記載するように前記テンプルの曲率半径と前記スライダーの曲率半径とを異ならせる構成としてある。テンプルが直線状（曲率半径Ｒ＝∞）の場合はスライダーを湾曲させればよく、テンプルを湾曲させた場合（曲率半径Ｒ≠∞）の場合は、スライダーの曲率半径をテンプルの曲率半径と異ならせればよい。
【００１０】
このようにすることで、テンプルにおけるスライダーの装着部分の曲率半径が、スライダーによって強制的に変化させられ、スライダーをスライドさせることで左右のテンプルの開度（左右のテンプル間の間隔）を変えることができる。開度が小さくなれば装着時における眼鏡装着者の側頭部への押圧力が強まり（すなわちテンプルのバネ性が強くなり）、開度が大きくなれば装着時における眼鏡装着者の側頭部への押圧力が弱まる（すなわちテンプルのバネ性が弱くなる）。
【００１１】
請求項４に記載の考案は、前記テンプルが曲率半径の異なる第一曲率部と第二曲率部とからなる湾曲部を有し、前記スライダーは前記第一曲率部と前記第二曲率部との間でスライドする構成としてある。
この構成によれば、スライダーを曲率の異なる第一曲率部と第二曲率部の間でスライドさせることで、スライダーによって第一曲率部及び第二曲率部の少なくとも一方の曲率半径が変化するとともに左右のテンプルの開度がスライダーの位置に応じて大小変化し、これによってテンプルによる眼鏡装着者の側頭部への押圧力を変化させることができる。
【００１２】
請求項５に記載するように、スライダーの曲率半径は第一曲率部又は第二曲率部と同じであってもよいが、異なるものであってもよい。
【００１３】
請求項６に記載するように、テンプルの前方に曲率半径の大きい第一曲率部を配置し、後方に曲率半径の小さい第二曲率部を配置してもよい。このようにすることで、スライダーを前方側に移動させたときにテンプル間の間隔を広め、後方に移動させたときにテンプル間の間隔を狭めるようにすることができる。
前記第一曲率部、前記第二曲率部及び前記スライダーの長さはそれぞれ異なるものとしてもよいが、請求項７に記載するようにこれらを同一としてもよい。
【考案の効果】
【００１４】
本考案は上記のように構成されているので、スライダーをテンプルの弾性部分に沿って前後にスライドさせるだけで、撓みの支点を前後に移動させてテンプルのバネ性を強弱調整することができる。
また、これに加えてテンプルの曲率半径を変化させるようにスライダーをスライドさせることで、スライダーの位置に応じて左右のテンプルの開度を調整することが可能になる。
このように、本考案によればテンプルをバネ性の弱い通常使用モードから、テンプルのバネ性の強い強運動モード、その中間の中運動モードまで、バネ性を広い範囲で無段階に強弱調整することが可能になる。
【考案を実施するための最良の形態】
【００１５】
［第一の実施形態］
本考案の眼鏡の好適な実施形態を、図面を参照しながら詳細に説明する。
図１はテンプルのバネ性を調整する本考案の第一の手段の説明図にかかり、（ａ）はスライダーを後方（モダン側）いっぱいまで移動させた状態を示す平面図、（ｂ）はスライダーを前方（フロントフレーム側）いっぱいまで移動させた状態を示す平面図である。
眼鏡１は、左右のレンズ４を保持するフロントフレーム３と、このフロントフレーム３の左右両端に智６によって折り畳み自在に取り付けられたテンプル２と、このテンプル２の先端に取り付けられたモダン５とを有する。
【００１６】
テンプル２は、少なくとも智６とモダン５との間が、眼鏡を装着する際に容易に弾性変形する部分（弾性部分）として形成されていればよく、その材質は問わない。チタンやステンレス等の金属であってもよい樹脂であってもよい。
この実施形態において左右のテンプル２は直線状に形成されている。
スライダー２３は、テンプル２の弾性部分の半分程度の長さを有する筒状に形成され、テンプル２と同じ断面形状を有する長手方向の貫通孔にテンプル２を挿通させている。スライダー２３は、テンプル２に装着した部分におけるテンプル２の撓みを抑制できる剛性を備え、剛性が大きいほど撓み抑制効果が大きくなってテンプル２のバネ性の強弱調整範囲が大きくなる。
【００１７】
この実施形態では、図１（ａ）に示すようにスライダー２３を後方にいっぱいに移動させると、テンプル２の弾性部分の撓みの支点Ａが智６寄りの前方に移動する。そのため、テンプル２を拡開させる方向に力Ｐを付与すると、テンプル２の開度が大きくなる。このことは、テンプル２のバネ性が弱くなっていることを示している。
反対にスライダー２３を前方にいっぱいに移動させると、図１（ｂ）に示すようにテンプル２の弾性部分の撓みの支点Ｂがモダン５寄りの後方に移動する。そのため、テンプル２を拡開させる方向に力Ｐを付与すると、テンプル２の開度が小さくなる。このことは、テンプル２のバネ性が強くなっていることを示している。
【００１８】
［第二の実施形態］
図２はテンプルのバネ性を調整する本考案の第二の手段の説明図にかかり、（ａ）はスライダーを前方（智又はフロントフレーム側）いっぱいまで移動させた状態を示す平面図、（ｂ）は（ａ）の状態の斜視図である。
この実施形態の左右のテンプル２はその先端が互いに接近する方向に湾曲していて、曲率半径の異なる第一曲率部２１と第二曲率部２２とを有している。この実施形態では、第一曲率部２１の曲率半径Ｒ１が第二曲率部２２の曲率半径Ｒ２よりも大きくなるように形成されている。
【００１９】
テンプル２には、スライダー２３が第一曲率部２１と第二曲率部２２との間をスライドできるように取り付けられている。
スライダー２３は、テンプル２の長手方向に沿って延びる二枚の板状体２３ａ，２３ｂを対向させて配置し、これらを逆Ｕ字状に連結して形成されていて、二つの板状体２３ａ，２３ｂでテンプル２を表裏から挟み込んでいる。そして、テンプル２の長手方向に形成されたガイド溝２４を挿通する軸体２５によって、スライダー２３がテンプル２から脱落しないようになっている。
【００２０】
図４に示すように、ガイド溝２４の両端に、軸体２５が嵌脱自在に嵌め込まれる嵌合孔２４ａを形成してもよい。このような嵌合孔２４ａを形成することで、スライダー２３をガイド溝２４の前方端と後方端とでロック状態にすることができる。
なお、軸体２５としては、板状体２３ａから板状体２３ｂまで挿通するピンや板状体２３ａ又は板状体２３ｂに形成された突起などを挙げることができる。また、軸体２５としてボルトを用いれば、ボルトを締め込んだり緩めたりすることで、板状体２３ａ，２３ｂによるテンプル２の挟持力を強弱調整することができる。
【００２１】
テンプル２とスライダー２３とは、スライダー２３をテンプル２の途中位置で位置決めして停止させることができる程度に、適度な摩擦力を付与してもよい。例えばテンプル２がステンレスやチタン等の金属で形成されている場合には、スライダー２３を樹脂などの異なる材料で形成するようにしてもよいし、スライダー２３にバネ性を付与したり、軸体２５としてボルトを用いるなどでして、テンプル２を適度な圧力で表裏から挟持するようにしてもよい。また、テンプル２の長手方向に微小な凹凸を多数形成し、この凹凸と係合する凸凹をスライダー２３に形成するようにしてもよい。
【００２２】
図３（ａ）はスライダーを後方（モダン側）にいっぱいに移動させた状態を示す平面図で、（ｂ）は（ａ）の状態の斜視図である。
図２の状態からスライダー２３をテンプル２に沿ってモダン５側に移動させると、曲率半径Ｒ２の第二曲率部２２がスライダー２３によって曲率半径Ｒ３まで伸ばされ、これによって左右のテンプル２，２間の間隔がＬ１（図２参照）からＬ３まで拡がる。
【００２３】
なお、この実施形態では、第一曲率部２１、第二曲率部２２及びスライダー２３の長手方向の長さは同一になるように形成され、かつ、スライダー２３の曲率半径Ｒ３は第一曲率部２１の曲率半径Ｒ１と同一になるように形成されているが、スライダー２３を第一曲率部２１と第二曲率部２２の間でスライドさせることで左右のテンプル２，２の開度（図２の例では符号Ｌ１で示す間隔）を大小調整できるのであれば、第一曲率部２１、第二曲率部２２及びスライダー２３の長手方向の長さ及びスライダー２３の曲率半径Ｒ３は上記に限られない。
【００２４】
次に、図５を参照しながら本考案の第二の実施形態の作用について説明する。
スライダー２３をテンプル２に沿ってモダン５側から智６側にスライドさせると、スライダー２３の位置の変化に応じてテンプル２の間隔がＬ３からＬ２に狭まる。さらにスライダー２３を智６側いっぱいに移動させると、間隔が最小のＬ１になる。最大の間隔Ｌ３のときにテンプル２のバネ性が最も弱くなり、通常装着時のモードとして使用することができる。また、最小の間隔Ｌ１のときにテンプル２のバネ性が最も強くなり、強めの運動時のモードとして使用することができる。中間の間隔Ｌ２のときは、テンプル２のバネ性は中間で、軽めの運動時のモードとして使用できる。
この第二の実施形態においても、スライダー２３をスライドさせることで第一の実施形態と同様に撓みの支点の移動が発生する。そのため、この実施形態では、第一の手段と第二の手段との組み合わせにより、テンプル２のバネ性の強弱をより広範に行うことができるという利点がある。
【００２５】
［他の実施形態］
図６は、本考案の他の実施形態にかかり、スライダーをテンプル２に複数（図示の例では二つ）設けた場合の作用を説明するテンプル２の側面図である。
図示の例のようにスライダー２３１，２３２を二つ設けた場合は、（ａ）のように二つのスライダー２３１，２３２を一体的にして前方にスライドさせた状態、（ｂ）のように二つのスライダー２３１，２３２を一体的にして後方にスライドさせた状態、（ｃ）のように一方（スライダー２３１）を前方にスライドさせ他方（スライダー２３２）を後方にスライドさせた状態を選択することができる。このようにすることで、上記の実施形態１，２に加えてさらに多様にテンプル２のバネ性の調整を行うことができる。
【００２６】
以上、説明したように、本考案の眼鏡は、スライダー２３，２３１，２３２をスライドさせるだけで、使用状況に応じてテンプル２のバネ性の強弱に自在に調整することができ、その調整範囲も大きいという利点がある。
本考案は上記の実施形態に限定されるものではない。
例えば、第二の実施形態ではテンプル２及びスライダー２３，２３１，２３２の両方が湾曲している（Ｒ１，Ｒ２，Ｒ３≠∞）ものとしたが、テンプル２を直線状（曲率半径Ｒ１，Ｒ２＝∞）としてスライダーを湾曲させてもよく、テンプル２を湾曲させてスライダー２３，２３１，２３２を直線状（曲率半径Ｒ３＝∞）としてもよい。
また、スライダー２３，２３１，２３２の形態は、第一の手段及び第二の手段の作用を奏することができるものであれば上記の筒状やＵ字状のものに限らず、断面Ｊ字状やＣ字状，Ｈ状など種々のものを選択することができる。さらに、スライダー２３，２３１，２３２は、眼鏡１の外観を考慮してデザイン性のある形状にしたり、中抜きや装飾等を施したり、テンプルが透けて見えるように透明又は半透明な材料で形成したりしても良い。
また、スライダー２３，２３１，２３２をテンプル２の長手方向に沿って案内できるのであれば、ガイド溝２４は特に設けなくてもよい。
【産業上の利用可能性】
【００２７】
本考案はフルリム、ハーフリム、リムレスなどあらゆる種類の眼鏡に適用することができ、智を有しないヒンジレスの眼鏡にも適用が可能である。
【図面の簡単な説明】
【００２８】
【図１】テンプルのバネ性を調整する本考案の第一の手段の説明図にかかり、（ａ）はスライダーを後方（モダン側）いっぱいまで移動させた状態を示す平面図、（ｂ）はスライダーを前方（フロントフレーム側）いっぱいまで移動させた状態を示す平面図である。
【図２】テンプルのバネ性を調整する本考案の第二の手段の説明図にかかり、（ａ）はスライダーを前方（智又はフロントフレーム側）いっぱいまで移動させた状態を示す平面図、（ｂ）は（ａ）の状態の斜視図である。
【図３】テンプルのバネ性を調整する本考案の第二の手段の説明図にかかり、（ａ）はスライダーを後方（モダン側）いっぱいまで移動させた状態を示す平面図、（ｂ）は（ａ）の状態の斜視図である。
【図４】ガイド溝の詳細を説明する部分拡大側面図である。
【図５】本考案の第二の実施形態の作用を説明する平面図である。
【図６】スライダーを複数有する本考案の他の実施形態を示す側面図である。
【符号の説明】
【００２９】
１：眼鏡
２：テンプル
２１：第一曲率部
２２：第二曲率部
２３：スライダー
２３１，２３２：スライダー
２３ａ，２３ｂ：板状体
２４：ガイド溝
２４ａ：嵌合孔
２５：軸体
３：フロントフレーム
４：レンズ
５：モダン
６：智
Ｌ１，Ｌ２，Ｌ３：テンプル間の間隔
Ｒ１：第一曲率部の曲率半径
Ｒ２：第二曲率部の曲率半径
Ｒ３：スライダーの曲率半径
【図１】
0003197473.tif 000003
【図２】
0003197473.tif 000004
【図３】
0003197473.tif 000005
【図４】
0003197473.tif 000006
【図５】
0003197473.tif 000007
【図６】
0003197473.tif 000008